(57)【要約】【課題】様々な充電情報を表示し、コネクタ接続部のロック機構を暗証で管理し、夜間等においても、コネクタ部分が見易い充電用コネクタの提供。【解決手段】非接触で送電する送電用コイル６が収納された筺体２を備える充電用コネクタ。情報を無線により受信する通信部３２と、通信部３２が受信した情報を表示するタッチパネル表示部２８と、接続先のコネクタ４に固定する固定手段５と、固定手段５がコネクタ４に固定している場合に、通信部３２が充電終了情報を受信したときは、タッチパネル表示部２８に文字キーを表示する文字キー表示手段２９と、文字キー表示手段２９が表示した文字キーによりタッチ入力された暗証が所定の暗証であるか否かを判定する判定手段２９とを備え、判定手段２９が所定の暗証であると判定したときは、固定手段５がコネクタ４への固定を解除する構成である。【選択図】図４
2013135589.tif 000002
【特許請求の範囲】
【請求項１】
非接触で送電する送電用コイルが収納された筺体を備える充電用コネクタにおいて、
情報を無線により受信する通信部と、該通信部が受信した情報を表示するタッチパネル表示部と、接続先のコネクタに固定する固定手段と、該固定手段がコネクタに固定している場合に、前記通信部が充電終了情報を受信したときは、前記タッチパネル表示部に文字キーを表示する文字キー表示手段と、該文字キー表示手段が表示した文字キーによりタッチ入力された暗証が所定の暗証であるか否かを判定する判定手段とを備え、該判定手段が所定の暗証であると判定したときは、前記固定手段がコネクタへの固定を解除するように構成してあることを特徴とする充電用コネクタ。
【請求項２】
前記文字キー表示手段は、前記固定手段がコネクタに固定している場合に、前記タッチパネル表示部がタッチされたときは、前記タッチパネル表示部に文字キーを表示し、前記判定手段が、文字キーによりタッチ入力された暗証は所定の暗証であると判定したときは、前記送電用コイルからの送電を中断し、前記固定手段がコネクタへの固定を解除するように構成してある請求項１記載の充電用コネクタ。
【請求項３】
前記筺体に着脱可能な別体を更に備え、該別体は、少なくとも、前記タッチパネル表示部、文字キー表示手段及び判定手段を収納すると共に、情報を無線により受信する第２通信部と、前記筺体側から非接触で前記別体内の電源を受電する受電用コイルとを備え、前記筺体は、該受電用コイルへ非接触で送電する第２送電用コイルを備え、前記第２通信部は、前記通信部と情報を無線により送受信するように構成してある請求項１又は２記載の充電用コネクタ。
【請求項４】
コネクタに正常に接触しているか否かを判定する手段と、該手段が正常に接触していないと判定したときに、前記固定手段のコネクタへの固定を禁止する手段と、該手段が該固定を禁止したときは、警告音の出力、及び／又は前記タッチパネルでの警告表示を行う警告手段とを更に備える請求項１乃至３の何れか１項に記載の充電用コネクタ。
【請求項５】
前記別体は、前記受電用コイルが受電した電力を蓄電する蓄電部を更に備え、該蓄電部が蓄電した電力を前記別体内の電源とするように構成してある請求項３又は４記載の充電用コネクタ。
【請求項６】
前記筺体は扁平形状であり、該筺体の外縁に設けられ、該筺体の一平面を部分的に囲う１又は複数の囲い壁と、該囲い壁の先端部に設けられた内フランジとを備える請求項１乃至５の何れか１項に記載の充電用コネクタ。
【請求項７】
前記筺体は扁平形状であり、該筺体の側面に周設された１又は複数の溝を備える請求項１乃至５の何れか１項に記載の充電用コネクタ。
【請求項８】
請求項１乃至５の何れか１項に記載された充電用コネクタと、該充電用コネクタへ情報を無線により送信する送信部とを備え、外部電源から車両のバッテリに充電する際に、前記充電用コネクタに収納された送電用コイルから、車両側のコネクタに収納された受電用コイルへ非接触で送電するように構成してあることを特徴とする充電システム。
【請求項９】
請求項６に記載された充電用コネクタと、該充電用コネクタへ情報を無線により送信する送信部とを備え、外部電源から車両のバッテリに充電する際に、前記充電用コネクタが備える内フランジを車両側のコネクタに掛止して、前記充電用コネクタに収納された送電用コイルから、前記コネクタに収納された受電用コイルへ非接触で送電する充電システムであって、
前記コネクタは、前記受電用コイルを収納する扁平形状の受電側筺体と、該受電側筺体の側面に周設され、前記内フランジを掛止する溝とを備えることを特徴とする充電システム。
【請求項１０】
請求項７に記載された充電用コネクタと、該充電用コネクタへ情報を無線により送信する送信部とを備え、外部電源から車両のバッテリに充電する際に、前記充電用コネクタが備える溝を車両側のコネクタに掛止して、前記充電用コネクタに収納された送電用コイルから、前記コネクタに収納された受電用コイルへ非接触で送電する充電システムであって、
前記コネクタは、前記受電用コイルを収納する扁平形状の受電側筺体と、該受電側筺体の外周に該受電側筺体を間にして対向して設けられ、前記溝が掛止する複数の掛止突起部とを備えることを特徴とする充電システム。
【発明の詳細な説明】
【技術分野】
【０００１】
本発明は、非接触で送電する送電用コイルが収納された充電用コネクタ、特に、タッチパネル表示部を備え、外部電源から車両のバッテリに充電する際に、受電用コネクタに収納された受電用コイルに非接触で送電する充電用コネクタ、及びこの充電用コネクタを備えた充電システムに関するものである。
【背景技術】
【０００２】
近時、ハイブリッドカー及び電気自動車が普及しつつあるが、ハイブリッドカーにおいても電気自動車と同様に、家庭の商用電源（１００ＶＡＣ、２００ＶＡＣ）によりバッテリを充電することが可能なプラグインハイブリッドカーが実用化されている。
電気自動車及びハイブリッドカーのバッテリは、電流損失を低減する為、その多くは定格が数百Ｖであり、バッテリを商用電源により充電する場合、昇圧回路及び整流回路が必要であるが、それらは車両側が備えている。
【０００３】
特許文献１には、給電用コネクタと受電用コネクタとからなり、これらの両コネクタの夫々のケース内にコイル及びコアを収容し、両コネクタの互いの前面を突き合わせた状態で、コイルの電磁誘導により充電システムから電動車両の蓄電装置への充電を行なう充電用コネクタが開示されている。両コネクタ間における充電情報伝達用の光の授受を、前記前面において行うようにし、前記コイルの後方又は別置された充電情報伝達のための発光用及び／又は受光用の素子を配し、その素子から延出した導光路の前端を、前記ケースの前面に露出させ、前記導光路と前記コイル及びコアとの間に伝熱部を介在させている。
【先行技術文献】
【特許文献】
【０００４】
【特許文献１】特開２００３−２９９２５４号公報
【発明の概要】
【発明が解決しようとする課題】
【０００５】
従来の電気自動車の充電用コネクタはガンタイプとなっており、充電開始又は充電完了等の決められた充電情報しか表示できない、コネクタ接続部のロック機構が第三者によって容易に解錠されてしまう虞があるという問題がある。また、ユーザが保管・保有する充電用コネクタの意匠がガンタイプであり、車両の外観デザインに合わない、夜間又は暗がり等において、充電用コネクタを車両側に差し込む際に、コネクタ部分が見え難いので作業がし辛いという問題がある。
【０００６】
本発明は、上述したような事情に鑑みてなされたものであり、様々な充電情報を表示することができ、コネクタ接続部のロック機構を暗証で管理することができ、意匠の自由度が増し、夜間又は暗がり等においても、コネクタ部分が見易い充電用コネクタを提供することを目的とする。
【０００７】
本発明は、また、様々な充電情報を表示することができ、コネクタ接続部のロック機構を暗証で管理することができ、意匠の自由度が増し、夜間又は暗がり等においても、コネクタ部分が見易い充電用コネクタを備えた充電システムを提供することを目的とする。
【課題を解決するための手段】
【０００８】
第１発明に係る充電用コネクタは、非接触で送電する送電用コイルが収納された筺体を備える充電用コネクタにおいて、情報を無線により受信する通信部と、該通信部が受信した情報を表示するタッチパネル表示部と、接続先のコネクタに固定する固定手段と、該固定手段がコネクタに固定している場合に、前記通信部が充電終了情報を受信したときは、前記タッチパネル表示部に文字キ―を表示する文字キ―表示手段と、該文字キ―表示手段が表示した文字キ―によりタッチ入力された暗証が所定の暗証であるか否かを判定する判定手段とを備え、該判定手段が所定の暗証であると判定したときは、前記固定手段がコネクタへの固定を解除するように構成してあることを特徴とする。
【０００９】
この充電用コネクタでは、筺体が、非接触で送電する送電用コイルを収納している。通信部が情報を無線により受信し、タッチパネル表示部が、通信部が受信した情報を表示する。固定手段がコネクタに固定している場合に、通信部が充電終了情報を受信したときは、文字キー表示手段がタッチパネル表示部に文字キーを表示する。判定手段が、文字キーによりタッチ入力された暗証が所定の暗証であるか否かを判定し、所定の暗証であると判定したときは、固定手段がコネクタへの固定を解除する。
【００１０】
第２発明に係る充電用コネクタは、前記文字キー表示手段は、前記固定手段がコネクタに固定している場合に、前記タッチパネル表示部がタッチされたときは、前記タッチパネル表示部に文字キーを表示し、前記判定手段が、文字キーによりタッチ入力された暗証は所定の暗証であると判定したときは、前記送電用コイルからの送電を中断し、前記固定手段がコネクタへの固定を解除するように構成してあることを特徴とする。
【００１１】
この充電用コネクタでは、固定手段がコネクタに固定している場合に、タッチパネル表示部がタッチされたときは、文字キー表示手段が、タッチパネル表示部に文字キーを表示する。判定手段が、文字キーによりタッチ入力された暗証は所定の暗証であると判定したときは、送電用コイルからの送電を中断し、固定手段がコネクタへの固定を解除する。
【００１２】
第３発明に係る充電用コネクタは、前記筺体に着脱可能な別体を更に備え、該別体は、少なくとも、前記タッチパネル表示部、文字キー表示手段及び判定手段を収納すると共に、情報を無線により受信する第２通信部と、前記筺体側から非接触で前記別体内の電源を受電する受電用コイルとを備え、前記筺体は、該受電用コイルへ非接触で送電する第２送電用コイルを備え、前記第２通信部は、前記通信部と情報を無線により送受信するように構成してあることを特徴とする。
【００１３】
この充電用コネクタでは、別体が、筺体に着脱可能であり、少なくとも、タッチパネル表示部、文字キー表示手段及び判定手段を収納している。別体は、第２通信部が、情報を無線により受信し、受電用コイルが、筺体側から非接触で別体内の電源を受電する。筺体は、第２送電用コイルが、受電用コイルへ非接触で送電し、第２通信部は、通信部と情報を無線により送受信する。
【００１４】
第４発明に係る充電用コネクタは、コネクタに正常に接触しているか否かを判定する手段と、該手段が正常に接触していないと判定したときに、前記固定手段のコネクタへの固定を禁止する手段と、該手段が該固定を禁止したときは、警告音の出力、及び／又は前記タッチパネルでの警告表示を行う警告手段とを更に備えることを特徴とする。
【００１５】
この充電用コネクタでは、判定する手段が、コネクタに正常に接触しているか否かを判定し、正常に接触していないと判定したときに、禁止する手段が、固定手段のコネクタへの固定を禁止する。禁止する手段が固定手段の固定を禁止したときは、警告手段が、警告音の出力、及び／又はタッチパネルでの警告表示を行う。
【００１６】
第５発明に係る充電用コネクタは、前記別体は、前記受電用コイルが受電した電力を蓄電する蓄電部を更に備え、該蓄電部が蓄電した電力を前記別体内の電源とするように構成してあることを特徴とする。
【００１７】
この充電用コネクタでは、別体は、蓄電部が、受電用コイルが受電した電力を蓄電し、蓄電部が蓄電した電力を別体内の電源とする。
【００１８】
第６発明に係る充電用コネクタは、前記筺体は扁平形状であり、該筺体の外縁に設けられ、該筺体の一平面を部分的に囲う１又は複数の囲い壁と、該囲い壁の先端部に設けられた内フランジとを備えることを特徴とする。
【００１９】
この充電用コネクタでは、筺体は扁平形状であり、筺体の外縁に設けられた１又は複数の囲い壁が、筺体の一平面を部分的に囲い、内フランジが、囲い壁の先端部に設けられている。
【００２０】
第７発明に係る充電用コネクタは、前記筺体は扁平形状であり、該筺体の側面に周設された１又は複数の溝を備えることを特徴とする。
【００２１】
第８発明に係る充電システムは、請求項１乃至５の何れか１項に記載された充電用コネクタと、該充電用コネクタへ情報を無線により送信する送信部とを備え、外部電源から車両のバッテリに充電する際に、前記充電用コネクタに収納された送電用コイルから、車両側のコネクタに収納された受電用コイルへ非接触で送電するように構成してあることを特徴とする。
【００２２】
この充電システムでは、第１発明乃至第５発明の何れか１つに係る充電用コネクタへ、送信部が、情報を無線により送信する。外部電源から車両のバッテリに充電する際に、充電用コネクタに収納された送電用コイルから、車両側のコネクタに収納された受電用コイルへ非接触で送電する。
【００２３】
第９発明に係る充電システムは、請求項６に記載された充電用コネクタと、該充電用コネクタへ情報を無線により送信する送信部とを備え、外部電源から車両のバッテリに充電する際に、前記充電用コネクタが備える内フランジを車両側のコネクタに掛止して、前記充電用コネクタに収納された送電用コイルから、前記コネクタに収納された受電用コイルへ非接触で送電する充電システムであって、前記コネクタは、前記受電用コイルを収納する扁平形状の受電側筺体と、該受電側筺体の側面に周設され、前記内フランジを掛止する溝とを備えることを特徴とする。
【００２４】
この充電システムでは、第６発明に係る充電用コネクタへ、送信部が、情報を無線により送信する。外部電源から車両のバッテリに充電する際に、充電用コネクタが備える内フランジを車両側のコネクタに掛止して、充電用コネクタに収納された送電用コイルから、車両側のコネクタに収納された受電用コイルへ非接触で送電する。車両側のコネクタは、扁平形状の受電側筺体が、受電用コイルを収納し、受電側筺体の側面に周設された溝が、内フランジを掛止する。
【００２５】
第１０発明に係る充電システムは、請求項７に記載された充電用コネクタと、該充電用コネクタへ情報を無線により送信する送信部とを備え、外部電源から車両のバッテリに充電する際に、前記充電用コネクタが備える溝を車両側のコネクタに掛止して、前記充電用コネクタに収納された送電用コイルから、前記コネクタに収納された受電用コイルへ非接触で送電する充電システムであって、前記コネクタは、前記受電用コイルを収納する扁平形状の受電側筺体と、該受電側筺体の外周に該受電側筺体を間にして対向して設けられ、前記溝が掛止する複数の掛止突起部とを備えることを特徴とする。
【００２６】
この充電システムでは、第７発明に係る充電用コネクタへ、送信部が、情報を無線により送信する。外部電源から車両のバッテリに充電する際に、充電用コネクタが備える溝を車両側のコネクタに掛止して、充電用コネクタに収納された送電用コイルから、車両側のコネクタに収納された受電用コイルへ非接触で送電する。車両側のコネクタは、扁平形状の受電側筺体が、受電用コイルを収納し、受電側筺体の外周に該受電側筺体を間にして対向して設けられた複数の掛止突起部に、充電用コネクタが備える溝が掛止する。
【発明の効果】
【００２７】
本発明に係る充電用コネクタによれば、様々な充電情報を表示することができ、コネクタ接続部のロック機構を暗証で管理することができ、意匠の自由度が増し、夜間又は暗がり等においても、コネクタ部分が見易い充電用コネクタを実現することができる。
【００２８】
本発明に係る充電システムによれば、様々な充電情報を表示することができ、コネクタ接続部のロック機構を暗証で管理することができ、意匠の自由度が増し、夜間又は暗がり等においても、コネクタ部分が見易い充電用コネクタを備えた充電システムを実現することができる。
【図面の簡単な説明】
【００２９】
【図１】本発明に係る充電用コネクタ及び充電システムの実施の形態の使用形態を示す説明図である。
【図２】充電用コネクタ本体及び表示部の着脱状態を説明する為の説明図である。
【図３】本発明に係る充電用コネクタの実施の形態及び受電用コネクタの外観を示す斜視図である。
【図４】本発明に係る充電用コネクタ及び充電システムの実施の形態の概略構成を示すブロック図である。
【図５】受電用コネクタの外観例を示す正面図及び側面図である。
【図６】充電用コネクタが受電用コネクタに覆い被さった状態を示す部分断面図である。
【図７】タッチパネル表示部の表示例を示す説明図である。
【図８】表示部の他の意匠例を示す説明図である。
【図９】本発明に係る充電用コネクタ、受電用コネクタ及び充電システムの実施の形態の使用形態を示す説明図である。
【図１０】本発明に係る充電用コネクタ及び受電用コネクタの実施の形態の外観を示す斜視図である。
【図１１】充電用コネクタが受電用コネクタの掛止部に掛止された状態の外観例を示す正面図及び側面図である。
【図１２】充電用コネクタが受電用コネクタの掛止部に掛止された状態の例を示す説明図である。
【発明を実施するための形態】
【００３０】
以下に、本発明をその実施の形態を示す図面に基づき説明する。
（実施の形態１）
図１は、本発明に係る充電用コネクタ及び充電システムの実施の形態１の使用形態を示す説明図である。
この充電システムは、車体１の側面に取り付けられた受電用コネクタ（図示せず）に、充電用コネクタ２を覆い被せた状態で、１００ＶＡＣ又は２００ＶＡＣの商用電源が電力線３経由で受電用コネクタへ供給される。充電用コネクタ２は、充電用コネクタ本体２ｂと、充電用コネクタ本体２ｂに着脱可能な別体である表示部２ａとを備えている。
【００３１】
充電用コネクタ本体２ｂ及び表示部２ａは、例えば、図２に示すように、それぞれ扁平な円盤形状であり、表示部２ａの側面に延設された爪２ｃを、充電用コネクタ本体２ｂの側面に凹設された掛止部２ｄに嵌め合わせて掛止する。爪２ｃ及び掛止部２ｄは、それぞれ複数設けられている。
表示部２ａの充電用コネクタ本体２ｂと対向しない平面には、タッチパネル表示部２８が設けられている。
【００３２】
図３は、本発明に係る充電用コネクタの実施の形態１の外観を示す斜視図である。
この充電用コネクタ２が接続する受電用コネクタ４の筺体は、車体１（図１）の側面に突設された扁平な円錐台形状であり、側面に溝１１が周設されている。
充電用コネクタ本体２ｂの側面には電力線３が接続され、電力線３とは反対側の側面には、ロックボタン５ａ（固定する手段）が設けられている。
【００３３】
図４は、本発明に係る充電用コネクタ及び充電システムの実施の形態１の概略構成を示すブロック図である。
この充電システムは、受電コイル８（受電用コイル）を収納した受電用コネクタ４と、受電コイル８が電磁誘導により非接触で受電した交流電力を、昇圧し整流してバッテリ１０へ充電する充電器９とを、車体１側に備えている。充電器９は、バッテリ１０の端子電圧に基づき充電深度（充電した割合）を検出し、検出した充電深度を、無線送信部３１により無線送信する。充電器９は、また、検出した充電深度が満充電に達したか否かを判定し、満充電に達したと判定したときは、バッテリ１０への充電回路を開にする。
【００３４】
この充電システムは、また、充電用コネクタ本体２ｂが、送電コイル６（送電用コイル）と、商用電力（１００ＶＡＣ、２００ＶＡＣ）が与えられる電力線３及び送電コイル６間に設けられた送電監視部７と、ロックスイッチ部５（固定する手段）と、電源スイッチ３７とを収納している。
充電用コネクタ本体２ｂは、また、充電用コネクタ本体２ｂが受電用コネクタ４に正常に接触しているか否かを判定する接触判定部３６と、スピーカ２６と、ロックスイッチ部５のロック動作を禁止するロック禁止部３５と、無線送受信部３２と、電力線３から送電監視部７経由で電力が与えられる補助送電コイル６ｓとを収納している。
【００３５】
この充電システムは、表示部２ａが、補助送電コイル６ｓから非接触で受電する補助受電コイル８ｓと、補助受電コイル８ｓが受電した電力を整流して蓄電する蓄電部２７と、タッチパネル表示部２８と、照明用スイッチ部３４とを収納している。
表示部２ａは、また、タッチパネル表示部２８が表示する為の情報処理を行う表示情報処理部２９と、表示情報処理部２９が内蔵するメモリ３０と、無線送受信部３３とを備えている。
【００３６】
ロックスイッチ部５は、カム等の動作により、押す力が取り除かれても、動作状態を保ち続け、更にもう一度押されると元の自由状態に復帰する位置保持型のロックボタン５ａと、ロックボタン５ａに連動するロック機構とを備えている。
ロック機構は、例えば、充電用コネクタ本体２ｂ側に設けられたプランジャが、ロックボタン５ａに連動して、受電用コネクタ４側に設けられた凹部に挿入されることにより、充電用コネクタ本体２ｂを受電用コネクタ４に固定（ロック）する。
【００３７】
接触判定部３６は、例えば、充電用コネクタ本体２ｂの表面に突設した複数の圧電素子からの出力電圧、又は受電用コネクタ４の表面に埋め込んだ複数の導体と充電用コネクタ本体２ｂの表面に突設した複数の接触子との導通状態等に基づき、充電用コネクタ本体２ｂが受電用コネクタ４に正常に接触しているか否かを判定する。接触判定部３６の判定結果は、送電監視部７へ与えられる。
【００３８】
送電監視部７は、商用電源側の短絡及び漏電監視を行い、短絡又は漏電を検知したときは、電力線３との接続を遮断すると共に、電源スイッチ３７がオンにされている場合は、電力線３からの電力を送電コイル６及び補助送電コイル６ｓへ与える。また、充電用コネクタ本体２ｂ内各部へ所要電圧に変換して与える。
送電監視部７は、接触判定部３６から与えられた判定結果が、正常に接触していないであるときは、ロック禁止部３５へロックを禁止する指示を与え、スピーカ２６から警告音を出力させる。また、無線送受信部３２，３３経由で表示情報処理部２９へエラー表示をするように指示を与える。表示情報処理部２９は、この指示によりタッチパネル表示部２８にエラー表示をさせる。
【００３９】
表示情報処理部２９は、ロックスイッチ部５が充電用コネクタ本体２ｂを受電用コネクタ４にロックしている場合に、送電監視部７から無線送受信部３２，３３経由で、ロックしていることを通知される。表示情報処理部２９は、この状態で、無線送受信部３３が無線送信部３１から充電終了情報（又は満充電情報）を受信したときは、タッチパネル表示部２８に文字キーを表示する（文字キー表示手段）。
【００４０】
表示情報処理部２９は、タッチパネル表示部２８が表示した文字キーによりタッチ入力された暗証がメモリ３０に記憶してある所定の暗証であるか否かを判定する（判定手段）。表示情報処理部２９は、所定の暗証であると判定したときは、ロックスイッチ部５のロックを解除する指示を無線送受信部３３，３２経由で送電監視部７へ与える。送電監視部７は、この指示を与えられたときは、ロックスイッチ部５のロックを解除する。
【００４１】
表示情報処理部２９は、ロックスイッチ部５が充電用コネクタ本体２ｂを受電用コネクタ４にロックしている場合に、タッチパネル表示部２８がタッチされたときは、タッチパネル表示部２８に文字キーを表示する（文字キー表示手段）。
表示情報処理部２９は、タッチパネル表示部２８が表示した文字キーによりタッチ入力された暗証がメモリ３０に記憶してある所定の暗証であるか否かを判定する（判定手段）。
【００４２】
表示情報処理部２９は、所定の暗証であると判定したときは、送電コイル６からの送電を中断し、ロックスイッチ部５のロックを解除する指示を無線送受信部３３，３２経由で送電監視部７へ与える。送電監視部７は、この指示を与えられたときは、送電コイル６からの送電を中断し、ロックスイッチ部５のロックを解除する。
照明用スイッチ部３４がオンにされると、タッチパネル表示部２８は、蓄電部２７からの電源により、表示する情報の有無に関係なく点灯し、照明として機能する。
【００４３】
図５Ａは、受電用コネクタ４の外観例を示す正面図であり、図５Ｂは、その側面図であり、充電用コネクタ２が覆い被さった状態を破線で示している。
受電用コネクタ４は、前述したように、扁平な円錐台形状であり、側面に溝１１が周設されている。
充電用コネクタ２は、充電用コネクタ本体２ｂが、前述したように、扁平な円盤形状であり、その外縁に設けられ、受電用コネクタ４に接触する側の平面を部分的に囲う囲い壁１３と、囲い壁１３の先端部に設けられた内フランジ１２とを備えている。囲い壁１３及び内フランジ１２は、例えば、充電用コネクタ２が受電用コネクタ４に覆い被さるときの前記平面の上半部に設けられている。
【００４４】
図６は、充電用コネクタ２が受電用コネクタ４に覆い被さった状態を示す部分断面図である。
充電用コネクタ２が受電用コネクタ４に覆い被さるときは、充電用コネクタ本体２ｂの囲い壁１３の先端部に設けられた内フランジ１２が、受電用コネクタ４の側面に周設された溝１１に緩やかに嵌まった状態で、ロックボタン５ａ（図３）が操作されることによりロックされる。
充電用コネクタ本体２ｂの内フランジ１２が、受電用コネクタ４の溝１１に嵌まった状態で、充電用コネクタ２の送電コイル６及び受電用コネクタ４の受電コイル８は、電磁誘導による送受電が効率良く行われるように対向する。
【００４５】
このような構成の充電用コネクタ２及び充電システムでは、送電監視部７は、電源スイッチ３７がオンにされると、電力線３からの電力を送電コイル６及び補助送電コイル６ｓへ与える。
送電監視部７は、接触判定部３６から与えられた判定結果が、正常に接触していないであるときは、ロック禁止部３５にロックスイッチ部５のロックを禁止させ、スピーカ２６から警告音を出力させる。また、表示情報処理部２９に、図７Ｃに示すように、タッチパネル表示部２８でのエラー表示（警告表示）をさせる。
【００４６】
ロックスイッチ部５がロックしている場合、充電器９は、受電コイル８が電磁誘導により非接触で受電した交流電力を、昇圧し整流してバッテリ１０へ充電する。充電器９は、バッテリ１０の端子電圧に基づき充電深度を検出し、検出した充電深度の情報を、無線送信部３１により無線送信する。
表示情報処理部２９は、無線送受信部３２，３３が無線送信部３１から充電深度情報を受信したときは、図７Ａに示すように、受信した充電深度をタッチパネル表示部２８に表示する。
充電器９は、検出した充電深度が満充電に達したか否かを判定し、満充電に達したと判定したときは、バッテリ１０への充電回路を開にする。
【００４７】
ロックスイッチ部５がロックしている場合、表示情報処理部２９は、無線送受信部３２，３３が無線送信部３１から充電終了情報（又は満充電情報）を受信したときは、図７Ｂに示すように、タッチパネル表示部２８に文字キーを表示する。
表示情報処理部２９は、タッチパネル表示部２８が表示した文字キーによりタッチ入力された暗証がメモリ３０に記憶してある所定の暗証であるか否かを判定する。表示情報処理部２９は、所定の暗証であると判定したときは、ロックスイッチ部５のロックを解除する指示を送電監視部７へ与え、この指示を与えられた送電監視部７は、ロックスイッチ部５のロックを解除する。
【００４８】
ロックスイッチ部５がロックしている場合、表示情報処理部２９は、タッチパネル表示部２８がタッチされたときは、図７Ｂに示すように、タッチパネル表示部２８に文字キーを表示する。
表示情報処理部２９は、タッチパネル表示部２８が表示した文字キーによりタッチ入力された暗証が所定の暗証であるか否かを判定する。
表示情報処理部２９は、所定の暗証であると判定したときは、送電コイル６からの送電を中断し、ロックスイッチ部５のロックを解除する指示を送電監視部７へ与える。この指示を与えられ送電監視部７は、送電コイル６からの送電を中断し、ロックスイッチ部５のロックを解除する。
【００４９】
照明用スイッチ部３４がオンにされると、タッチパネル表示部２８は、蓄電部２７からの電源により、表示する情報の有無に関係なく点灯し、照明として機能する。
尚、表示部２ａの意匠は、図７に示すようなものに限らず、例えば、図８に示すように、タッチパネル表示部２８の外周に複数の操作ボタンを並べて設けたようなものでも良い。
【００５０】
（実施の形態２）
図９は、本発明に係る充電用コネクタ及び充電システムの実施の形態２の使用形態を示す説明図である。
この充電システムは、車体１の側面に取り付けられた受電用コネクタの掛止部２０，２０に、充電用コネクタ２２が掛止された状態で、１００ＶＡＣ又は２００ＶＡＣの商用電源が電力線３経由で受電用コネクタへ供給される。充電用コネクタ２２は、充電用コネクタ本体２２ｂと、充電用コネクタ本体２２ｂに着脱可能な別体である表示部２２ａとを備えている。
【００５１】
充電用コネクタ本体２２ｂ及び表示部２２ａは、例えば、図３に示すものと同様に、それぞれ扁平な円盤形状であり、表示部２２ａの側面に延設された爪（２ｃ）を、充電用コネクタ本体２２ｂの側面に凹設された掛止部（２ｄ）に嵌め合わせて掛止する。爪（２ｃ）及び掛止部（２ｄ）は、それぞれ複数設けられている。
表示部２２ａの充電用コネクタ本体２２ｂと対向しない平面には、タッチパネル表示部２８が設けられている。
【００５２】
図１０は、本発明に係る充電用コネクタの実施の形態２の外観を示す斜視図である。
充電用コネクタ本体２２ｂは、扁平な円盤形状であり、側面には電力線３が接続され、側面の電力線３との接続部を含む半周分には溝２５が周設されている。
この充電用コネクタ本体２２が接続する受電用コネクタ２４の筺体は、車体１（図９）の側面に突設された扁平な円盤形状であり、この筺体を間にして、２つの掛止部２０，２０が対向するように車体１（図９）の側面に突設されている。掛止部２０，２０は、細長い円錐が軸を含む平面で２分割された内の一方のような形状であり、それぞれの底部が対向するように、平面側で車体の側面に固定されている。掛止部２０，２０の各底部には、充電用コネクタ本体２２ｂの溝２５を掛止する為の掛止突起部２１，２１が設けられている。
【００５３】
充電用コネクタ本体２２ｂ及び受電用コネクタ２４にも、実施の形態１におけるロックスイッチ部５と同様なものを設けることが可能である。この場合、ロック機構は、例えば、充電用コネクタ本体２２ｂ側に設けられたプランジャが、ロックボタンに連動して、受電用コネクタ２４側（筺体又は掛止部２０）に設けられた凹部に挿入されることにより、充電用コネクタ本体２２ｂを受電用コネクタ２４に固定（ロック）する。
【００５４】
本発明に係る充電用コネクタ及び充電システムの実施の形態２の概略構成は、上述した実施の形態１の概略構成（図４）と同様であるので、説明を省略する。尚、充電用コネクタ本体２２ｂは送電コイル６を、受電用コネクタ２４の筺体は受電コイル８をそれぞれ収納している。
【００５５】
図１１Ａは、充電用コネクタ本体２２ｂが受電用コネクタ２４の掛止部２０，２０に掛止された状態の外観例を示す正面図であり、図１１Ｂは、その側面図である。
充電用コネクタ本体２２ｂは、前述したように、扁平な円盤形状であり、その側面に溝２５が周設されている。溝２５は、上述したように、例えば、充電用コネクタ本体２２ｂが掛止部２０，２０の掛止突起部２１，２１に掛止されるときの側面の下半部（半周分）に設けられている。
【００５６】
図１２は、充電用コネクタ本体２２ｂが受電用コネクタ２４の掛止部２０，２０に掛止された状態の例を示す説明図である。
充電用コネクタ本体２２ｂが掛止部２０，２０に掛止されるときは、充電用コネクタ本体２２ｂの側面に設けられた溝２５に、掛止部２０，２０の掛止突起部２１，２１が嵌まった状態で掛止される。
【００５７】
充電用コネクタ本体２２ｂの溝２５に掛止部２０，２０の掛止突起部２１，２１が嵌まり掛止された状態で、充電用コネクタ本体２２ｂの送電コイル６及び受電用コネクタ２４の受電コイル８は、電磁誘導による送受電が効率良く行われるように対向する。
本発明に係る充電用コネクタ及び充電システムの実施の形態２のその他の動作は、上述した実施の形態１の動作と同様であるので、説明を省略する。
【符号の説明】
【００５８】
１  車体
２，２２  充電用コネクタ
２ａ，２２ａ  表示部（別体）
２ｂ，２２ｂ  充電用コネクタ本体
３  電力線
４，２４  受電用コネクタ
５  ロックスイッチ部（固定する手段）
５ａ  ロックボタン（固定する手段）
６  送電コイル（送電用コイル）
６ｓ  補助送電コイル（第２送電用コイル）
７  送電監視部
８  受電コイル（受電用コイル）
８ｓ  補助受電コイル（受電用コイル）
９  充電器
１０  バッテリ
１１，２５  溝
１２  内フランジ
１３  囲い壁
２０  掛止部
２１  掛止突起部
２６  スピーカ（警告手段）
２７  蓄電部
２８  タッチパネル表示部
２９  表示情報処理部（文字キー表示手段、判定手段、警告手段）
３１  無線送信部（送信部）
３２  無線送受信部（通信部）
３３  無線送受信部（第２通信部）
３４  照明用スイッチ部
３５  ロック禁止部（禁止する手段）
３６  接触判定部（接触しているか否かを判定する手段）
【図１】
2013135589.tif 000003
【図２】
2013135589.tif 000004
【図３】
2013135589.tif 000005
【図４】
2013135589.tif 000006
【図５】
2013135589.tif 000007
【図６】
2013135589.tif 000008
【図７】
2013135589.tif 000009
【図８】
2013135589.tif 000010
【図９】
2013135589.tif 000011
【図１０】
2013135589.tif 000012
【図１１】
2013135589.tif 000013
【図１２】
2013135589.tif 000014